(57)【要約】      （修正有）【課題】プリンタで使用されたインクリボンを細片化するインクリボン断裁装置及びインクリボン供給装置に関し、ロール状とされたインクリボンをほどけさせることなく確実に供給して断裁させるインクリボン断裁装置及びインクリボン供給装置を提供する。【解決手段】インクリボン６０がプリンタで使用されて巻取芯上にロール状とされたインクリボンロール６１より繰り出される当該インクリボン６０を細片化させるものであり、傾斜保持部４３Ａ、４３Ｂにおける垂直方向より所定角度で傾斜された支持部材の上向き方向側に設けられた回転自在の保持回転部に当該インクリボンロール６１の巻取芯を着脱自在に嵌合させ、断裁本体のカッタローラの引き込みに応じてインクリボン６０を供給させる構成とする。【選択図】図６
2018008471.tif 000002
【特許請求の範囲】
【請求項１】
プリンタで使用されて巻取芯上にロール状とされたインクリボンを細片化させるインクリボン断裁装置であって、
前記インクリボンを受け入れるリボン受入部、及び、当該リボン受入部より受け入れた当該インクリボンを引き込みながら断裁する断裁部を少なくとも備える断裁本体と、
垂直方向より所定角度で傾斜された支持部材、及び、当該支持部材の上向き方向側に前記ロール状のインクリボンにおける巻取芯を着脱自在に嵌合させる回転自在の保持回転部を備えて当該インクリボンを前記断裁部の引き込みに応じて供給するインクリボン供給装置と、
を有することを特徴とするインクリボン断裁装置。
【請求項２】
プリンタで使用されて巻取芯上にロール状とされたインクリボンを引き込みながら細片化させるインクリボン断裁装置に分離自在に設けられるインクリボン供給装置であって、
垂直方向より所定角度で傾斜された支持部材と、
前記支持部材の上向き方向側に前記ロール状のインクリボンにおける巻取芯を着脱自在に嵌合させ、前記インクリボン断裁装置の当該インクリボンの引き込みに応じて回転する保持回転部と、
を有することを特徴とするインクリボン供給装置。
【発明の詳細な説明】
【技術分野】
【０００１】
本発明は、プリンタで使用されたインクリボンを細片化するインクリボン断裁装置及びインクリボン供給装置に関する。
【背景技術】
【０００２】
近年、インクリボンを使用するプリンタでは、使用済みのインクリボンには印字跡が残っており、個人情報や秘匿情報の漏洩を防ぐために断裁装置で細片化することが行われている。インクリボンは、使用されるプリンタに応じて多種の幅のものが用意され、使用済みのインクリボンを断裁装置で細片化させるに際し、特に幅狭のインクリボンをほどけることなく供給させることが望まれる。
【０００３】
従来、幅狭のインクリボンを使用するプリンタ、例えばハンディタイプのプリンタが種々存在するが、このようなインクリボンはカセットに収容されて使用されるのが殆どである。一般に、国民健康保険証や運転免許証などの汎用サイズのカードに印字を行う場合に１行分若しくは２行分に相当する幅のインクリボンを用いるプリンタも相当数存在し、使用済みのインクリボンは幅方向にガイドリールのない単に巻取芯上に巻き取らせることも多く存在する。
【０００４】
一方、使用済みインクリボンではなく、長尺状の幅狭のテープを供給する技術も種々知られている。例えば、特許文献１のように、長尺状の被印字テープをテープカートリッジに巻回した第１ロールを第１ブラケット部に垂直方向で回転可能に支持して繰り出す構成のものが知られている。また、特許文献２のように、軸台に対して水平方向に固着されたリール固定軸に、テープを巻き回したテープリールの軸芯部分に設けられた穴を嵌合させて当該テープリールを立設状態にセットし、当該テープリールを自由に回転させる構成のものが知られている。
【先行技術文献】
【特許文献】
【０００５】
【特許文献１】特開２０１６−０７８３８１号公報
【特許文献２】特開２００８−２２２３３７号公報
【発明の概要】
【発明が解決しようとする課題】
【０００６】
しかしながら、特許文献１，２に記載されている技術を、幅方向にガイドリールのない単に巻取芯上に使用済みのインクリボンを巻き取らせて、これを断裁させることに適用させる場合、立設状態でインクリボンを繰り出すと、回転中のインクリボンの巻回状態が外れてほどけて繰り出し不良となりやすい。この時、断裁の駆動をインクリボンの引き出し張力を検出して稼働、停止をさせていると、ほどけた状態で張力がなくなり、稼働停止となって確実な断裁を行うことができなくなるという問題がある。
【０００７】
そこで、本発明は上記課題に鑑みなされたもので、ロール状とされたインクリボンをほどけさせることなく確実に供給して断裁させるインクリボン断裁装置及びインクリボン供給装置を提供することを目的とする。
【課題を解決するための手段】
【０００８】
上記課題を解決するために、請求項１の発明では、プリンタで使用されて巻取芯上にロール状とされたインクリボンを細片化させるインクリボン断裁装置であって、前記インクリボンを受け入れるリボン受入部、及び、当該リボン受入部より受け入れた当該インクリボンを引き込みながら断裁する断裁部を少なくとも備える断裁本体と、垂直方向より所定角度で傾斜された支持部材、及び、当該支持部材の上向き方向側に前記ロール状のインクリボンにおける巻取芯を着脱自在に嵌合させる回転自在の保持回転部を備えて当該インクリボンを前記断裁部の引き込みに応じて供給するインクリボン供給装置と、を有する構成とする。
【０００９】
請求項２の発明では、プリンタで使用されて巻取芯上にロール状とされたインクリボンを引き込みながら細片化させるインクリボン断裁装置に分離自在に設けられるインクリボン供給装置であって、垂直方向より所定角度で傾斜された支持部材と、前記支持部材の上向き方向側に前記ロール状のインクリボンにおける巻取芯を着脱自在に嵌合させ、前記インクリボン断裁装置の当該インクリボンの引き込みに応じて回転する保持回転部と、を有する構成とする。
【発明の効果】
【００１０】
請求項１の発明によれば、プリンタで使用されて巻取芯上にロール状とされたインクリボンを細片化させるものであり、垂直方向より所定角度で傾斜された支持部材の上向き方向側に設けられた回転自在の保持回転部にロール状のインクリボンにおける巻取芯を着脱自在に嵌合させ、断裁本体の断裁部の引き込みに応じてインクリボンを供給させる構成とすることにより、幅方向にガイドリールが設けられていないロール状のインクリボンを供給するに際して回転中のインクリボンが常に支持部材側方向に沿って繰り出されることで巻回状態が外れてほどけることなく供給させることができ、確実に断裁させることができるものである。
【００１１】
請求項２の発明によれば、プリンタで使用されて巻取芯上にロール状とされたインクリボンを引き込みながら細片化させるインクリボン断裁装置に分離自在に設けられるもので、垂直方向より所定角度で傾斜された支持部材の上向き方向側に設けられた回転自在の保持回転部にロール状のインクリボンにおける巻取芯を着脱自在に嵌合させ、インクリボン断裁装置からの引き込みに応じてインクリボンを供給させる構成とすることにより、幅方向にガイドリールが設けられていないロール状のインクリボンを供給するに際して回転中に巻回状態がずれてほどけることなく供給させることができると共に、インクリボンを断裁する断裁装置としていずれの断裁装置にも適応させることができるものである。
【図面の簡単な説明】
【００１２】
【図１】本発明に係るインクリボン断裁装置の全体構成図である。
【図２】図１のインクリボン断裁装置におけるインクリボン供給装置の説明図（１）である。
【図３】図１のインクリボン断裁装置におけるインクリボン供給装置の説明図（２）である。
【図４】図１のインクリボン断裁装置におけるインクリボン供給装置の説明図（３）である。
【図５】インクリボンロール及びロール保持部の説明図である。
【図６】図１のインクリボン供給装置におけるインクリボンロールセット状態の説明図である。
【図７】インクリボンの取り回しセットの説明図（１）である。
【図８】インクリボンの取り回しセットの説明図（２）である。
【図９】インクリボン供給装置におけるロール保持部の他の構成説明図である。
【発明を実施するための形態】
【００１３】
以下、本発明の実施形態を図により説明する。
図１に、本発明に係るインクリボン断裁装置の全体構成図を示す。図１（Ａ）は全体斜視図、図１（Ｂ）は概略断面図である。図１（Ａ）において、インクリボン断裁装置１１は、プリンタで使用されて巻取芯上にロール状とされたインクリボンをリボン受入部に導いて断裁部で細片化させるものであって、インクリボン供給装置１２及び断裁本体１３により構成され、インクリボン供給装置１２は断裁本体１３と分離自在に載置状態で位置される。当該インクリボン供給装置１２を断裁本体１３と分離自在とすることにより、いずれの機構の断裁装置に対しても適応させることができるものである。インクリボン供給装置１２については図２〜図６で説明する。
【００１４】
断裁本体１３には、インクリボンを断裁のために挿入させるリボン受入部１４が形成され、上面前部分に電源スイッチ１５Ａや操作スイッチ１５Ｂ等が設けられる。また、断裁本体１３の前面には前面扉１６が設けられる。そして、断裁本体１３上であって、リボン受入部１４のインクリボン供給装置側に当該リボン受入部１４の受け入れ幅に沿った板状の検知部１７が回動自在に設けられ、検知部１７の下方に当該検知部１７の検知状態を検出する例えばマイクロスイッチなどの検出部１８が設けられる。当該検知部１７及び検出部１８は後述の繰り出しによる張力を検知、検出するもので、有色及び無色（半透明若しくは透明）のインクリボンを問わずに対処することができものである。なお、有色のインクリボンを対象とする場合には、当該検知部１７及び検出部１８に代えて、光センサを用いてもよい。
【００１５】
上記検出部１８は、供給されるインクリボンの終端部分を後述のカッタローラ２１の引き出しによるインクリボン供給時の張力を、検知部１７を介して検知するもので、検知部１７がインクリボンの引き出される張力で下方に位置したときに検出部１８が後述の駆動部２３に断裁駆動継続信号を出力し、インクリボンが終端部分となって張力がなくなり検知部１７が上方位置となったときに駆動停止信号を出力するものである。
【００１６】
断裁本体１３の内部は、図１（Ｂ）に示すように、前面扉１６側が断裁領域１３Ａであり、リボン受入部１４は下方向側に幅狭で設けられ、直下に断裁部であるカッタローラ２１が当該リボン受入部１４の長さ方向と同じ軸方向で設けられる。カッタローラ２１は、従前より使用されているものと同様に、周上に断裁刃が形成されたローラが対で構成されるもので、各ローラは図のように下方に巻き込むようにそれぞれが回転する。
【００１７】
上記カッタローラ２１の下方には断裁したインクリボン断裁片を収納する出し入れ自在の断裁片収納袋保持具２２Ａに保持された断裁片収納袋２２が配置される。そして、断裁領域１３Ａの奥側にモータや制御盤等の駆動部２３が設けられるものである。
【００１８】
ここで、図２〜図４に、図１のインクリボン断裁装置におけるインクリボン供給装置の説明図を示す。図２（Ａ）、（Ｂ）において、インクリボン供給装置１２は、側面部３１Ａ，３１Ｂ間に第１搭載部３２及び第２搭載部３３が並設され、装置前部側の下方に挿入誘導シャフト３４が設けられる。このインクリボン供給装置１２は、断裁本体１３のリボン受入部１４及び検知部１７に挿入誘導シャフト３４が対応するように配置される。インクリボン供給装置１２は、挿入誘導シャフト３４に対して奥側に順次上記第１搭載部３２、第２搭載部３３となる。この実施形態では、２つの搭載部を設けた場合として説明するが、単一でもよく、また３以上の搭載部としてもよい。
【００１９】
第１搭載部３２は、上記側面部３１Ａ，３１Ｂ間で下方向側に幅狭で、下端が開放となる第１の対傾斜部３２Ａ，３２Ｂが後述するインクリボンのロール軸方向に沿って設けられる。この第１の対傾斜部３２Ａ，３２Ｂ上には後述のロール保持部４１が着脱自在に取り付けられる。
【００２０】
第２搭載部３３の構成は、第１搭載部３２と同様であり、上記側面部３１Ａ，３１Ｂ間で下方向側に幅狭で、下端が開放となる第２の対傾斜部３３Ａ，３３Ｂが後述するインクリボンのロール軸方向に沿って設けられる。この第２の対傾斜部３３Ａ，３３Ｂ上には、図示しないが、上記ロール保持部４１を着脱自在に取り付けてもよく、また、断裁対象の幅広のインクリボンロールを載置させることとしてもよい。なお、第１の対傾斜部３２Ａ、３２Ｂ及び第２の対傾斜部３３Ａ，３３Ｂは着磁可能な金属で形成される。
【００２１】
ここで、第２搭載部３３は第１搭載部３２より所定長下げた位置に配置される。これは、第２搭載部３３に後述のロール保持部４１に保持されたインクリボンロールや、単独のインクリボンロールが載置されてインクリボンを下方より引き出すときに第１搭載部３２が邪魔にならないようにして容易に行わせるためである。このように、第１搭載部３２及び第２搭載部３３を装置の奥行き方向に設けることにより、種々のリボンロール径の異なるインクリボンロールを搭載し、同時に断裁させることが可能となり、省スペース化を実現することができるものである。
【００２２】
そして、図２（Ｂ）に示すように、上記第１搭載部３２上に、図３で説明するロール保持部４１が着脱自在に取り付けられる。なお、ここでは第２搭載部３３上には何も搭載しないものとして説明する。
【００２３】
図３（Ａ）において、ロール保持部４１は、上記第１の対傾斜部３２Ａ（第２の対傾斜部３３Ａ）と同面で上記側面部３１Ａ，３１Ｂ間で下方向側に幅狭として、下端が開放となる対取付傾斜部４２Ａ，４２Ｂを有し、対取付傾斜部４２Ａ，４２Ｂ間に傾斜保持部４３Ａ，４３Ｂが取り付けられる。そして、対向する当該取付傾斜部４２Ａ，４２Ｂの外側にはシート状（シート状でなくともよい）のマグネット４７が所定数設けられる。
【００２４】
上記傾斜保持部４３Ａ、４３Ｂの対取付傾斜部４２Ａ，４２Ｂは、例えば溶接により、若しくはシート状（シート状でなくともよい）のマグネットにより取り付けられる。この場合、傾斜保持部４３Ａと傾斜保持部４３Ｂとは、上方に向かって広がるように向かい合わせで配置される。なお、この実施形態では、２つの傾斜保持部４３Ａ、４３Ｂを向かい合わせで配置させたものとしたが、単一としてもよく、また所定間隔で向い合せ、同方向の傾斜での配置を問わずに３つ以上設けてもよい。
【００２５】
上記対取付傾斜部４２Ａは、図３（Ｂ）に示すように、方形状の下側より略逆台形状の支持部材４４Ａの、当該逆台形状の各斜辺部分に取付部材４５Ａ−１，４５Ａ−２が一体的に形成される。取付部材４５Ａ−１，４５Ａ−２は、例えば図に示すように平行四辺形の形状であり、下辺Ｌに対して支持部材４４Ａが垂直方向より所定角度αとなる。すなわち、当該対取付傾斜部４２Ａの取付部材４５Ａー１，４５Ａー２を、その下辺Ｌと対取付傾斜部４２Ａ，４２Ｂの長辺とを同一方向で取り付けることによって、支持部材４４Ａは、対取付傾斜部４２Ａ，４２Ｂの長辺に対して垂直方向より角度αで傾斜されることとなる。
【００２６】
上記支持部材４４Ａには、当該支持部材４４Ａの上向き方向側に保持回転部４６Ａ（図では概略的に示している）が回転自在に設けられる。当該保持回転部４６Ａは、後述するロール状のインクリボン（インクリボンロール）の巻取芯を着脱自在に嵌合固定する。この嵌合固定の構造は、当該保持回転部４６Ａの形状を含めて従前より知られている構造と同様であり、図示及び説明を省略する。すなわち、インクリボンが断裁本体１３のカッタローラ２１により引き込まれるときに保味回転部４６Ａが回転することにより当該インクリボンロールからインクリボンが供給されることとなる。
【００２７】
上記対取付傾斜部４２Ｂは、図３（Ｂ）の対取付傾斜部４２Ａと同一構成であって、図３（Ｃ）に示すように、図３（Ｂ）の逆側視点で示したものであり、符号を支持部材４４Ｂ、取付部材４５Ｂ−１，４５Ｂ−２、保持回転部４６Ｂとしている。上記傾斜保持部４３Ａ，４３Ｂを対取付傾斜部４２Ａ，４２Ｂ間に取り付けた状態が図３（Ａ）、（Ｄ）、（Ｅ）となるものである。
【００２８】
そして、図４に示すように、ロール保持部４１を、上記第１の対傾斜部３２Ａ，３２Ｂの対向する面に対して嵌めるようにそれぞれのマグネット４７で取り付けることによって、傾斜保持部４３Ａ，４３Ｂ（支持部材４４Ａ，４４Ｂ，保持回転部４６Ａ、４６Ｂ）が、当該第１の対傾斜部３２Ａ，３２Ｂに対して垂直方向より角度αで傾斜した状態となるものである。
【００２９】
続いて、図５に、インクリボンロール及びロール保持部の説明図を示す。図５（Ａ）において、インクリボンロール６１は、中空部６２Ａを備える巻取芯６２に使用済みのインクリボン６０をロール状に巻回したものであり、ここでは幅の狭いインクリボンとして示してある。インクリボン６０の「幅の狭い」については、前述のように汎用サイズのカードに印字を行う場合の１行分若しくは２行分に相当する幅のものを一例としている。当該インクリボンロール６１は、図５（Ｂ）、（Ｃ）に示すように、傾斜保持部４３Ａの支持部材４４Ａに設けられた保持回転部４６Ａに、その巻取芯６２の中空部６２Ａを着脱自在に嵌合することでセットされ、取付部材４５Ａ−１，４５Ａ−２間の開放部分よりインクリボン６０が引き出される形態とされる。
【００３０】
この場合、インクリボンロール６１は、傾斜保持部４３Ａの取付部材４５Ａ−１，４５Ａ−２の下辺Ｌに対して、垂直方向より角度αでセットされることとなる。なお、図５（Ｄ）は、傾斜保持部４３Ｂに対するインクリボンロール６１のセット状態を示したもので、形態は図５（Ｃ）と同様である。
【００３１】
続いて、図６に、図１のインクリボン供給装置におけるインクリボンロールセット状態の説明図を示す。まず、図６（Ａ）に示すように、ロール保持部４１が図２（Ａ）の第１搭載部３２の第１の対傾斜部３２Ａ，３２Ｂの対向する面に対して嵌めるようにそれぞれマグネット４７で取り付けられる。そこで、図６（Ｂ）に示すように、傾斜保持部４３Ａの保持回転部４６Ａにインクリボンロール６１の巻取芯６２を嵌合固定し、取付部材４５Ａ−１，４５Ａ−２間の開放部分よりインクリボン６０を引き出す。
【００３２】
そして、図６（Ｃ）に示すように、傾斜保持部４３Ｂの保持回転部４６Ｂにインクリボンロール６１の巻取芯６２を嵌合固定し、取付部材４５Ｂ−１，４５Ｂ−２間の開放部分よりインクリボン６０を引き出し、傾斜保持部４３Ａより引き出されたインクリボン６０と重ね合わせるものである。すなわち、各傾斜保持部４３Ａ，４３Ｂにセットされたそれぞれのインクリボンロール６１は、角度αで上向きとなって供給されるインクリボン６０は当該傾斜保持部４３Ａ，４３Ｂの支持部材４４Ａ、４４Ｂ側に沿うように供給され、ほぐれることなく供給されることとなるものである。
【００３３】
なお、上記角度αは、角度が小さくなると（立設に近い状態）、巻回されたインクリボン６０が、特に幅狭の場合にほぐれやすくなり、角度が大となると、繰り出されるインクリボン６０がよじれて断裁本体１３のカッタローラ２１の断裁刃の間に入り込んで断裁ができなくなるおそれがある。このような状態とならない角度αが設定されるもので、例えばα＝２０°程度に設定することが好適である。
【００３４】
そこで、図７及び図８に、インクリボンの取り回しセットの説明図を示す。上記図６（Ｃ）に示すようにロール保持部４１にインクリボンロール６１をそれぞれセットさせた状態で、図７（Ａ）に示すように、傾斜保持部４３Ａにセットされたインクリボンロール６１よりインクリボン６０を引き出し、また、傾斜保持部４３Ｂにセットされたインクリボンロール６１よりインクリボン６０を引き出してそれらを重ねて重ねインクリボン６０Ａとする。
【００３５】
図７（Ｂ）に示すように、重ねインクリボン６０Ａを、挿入誘導シャフト３４の下方より引き出し、さらに検知部１７及びリボン受入部１４の反対側まで引き出す。この状態で、電源スイッチ１５Ａで装置運転を開始してカッタローラ２１を回転駆動させる。
【００３６】
そこで、図８（Ａ）に示すように、厚紙などの挿入ダミー６５を重ねインクリボン６０Ａ上から断裁本体１３のリボン受入部１４の挿入口に挿入する。これによって、重ねインクリボン６０Ａを挿入ダミー６５ごとカッタローラ２１に引き込ませることとなり、以降、図８（Ｂ）に示すように、連続して断裁が行われ、断裁されたインクリボン断裁片６０Ｂが断裁片収納袋２２に収納されるものである。
【００３７】
断裁時は、図８（Ａ）、（Ｂ）に示すように、カッタローラ２１の引き込み力で各インクリボンロール６１が回転して順次引き出され、その張力で検知部１７が下方に回動して検出部１８で検出されることとなる（駆動継続）。そして、各インクリボンロール６１から引き出されたインクリボン６０の総てが各巻取リール６１Ａより引き出されて断裁されると、当該インクリボン６０による張力がなくなり、検知部１７が上方に復帰することで検出部１８の検出信号が切り替わって稼働停止されるものである。
【００３８】
次に、図９に、インクリボン供給装置におけるロール保持部の他の構成説明図を示す。図９では、一の傾斜保持部４３Ａについて説明するが、傾斜保持部４３Ｂについても同様である。図９（Ａ）において、傾斜保持部４３Ａ自体の形状、構成は上記同様である。そして、加えて、図９（Ｂ）に示すように、取付部材４５Ａ−１．４５Ａ−２の外側に、例えばシート状（シート状でなくともよい）のマグネット４７をそれぞれ設けたものである。
【００３９】
そして、図９（Ｃ）に示すように、傾斜保持部４３Ａの保持回転部４６Ａにインクリボンロール６１（巻取芯６２）を着脱自在に嵌合させるものである。すなわち、上述の対取付傾斜部４２Ａ、４２Ｂを使用せずに、単独で第１搭載部３２の第１の対傾斜部３２Ａ，３２Ｂに着磁により取り付けるものである。なお、向きを逆方向とすれば傾斜保持部４３Ｂとなる。
【００４０】
このように、幅方向にガイドリールが設けられていないロール状のインクリボン６０を傾斜させてセットさせることにより、インクリボン６０の繰り出しに際して巻回状態がほどけることなく供給させることができ、確実に断裁させることができるものである。また、インクリボン供給装置１２は、インクリボン断裁装置としてのいずれの断裁本体にも適応させることができるものである。
【産業上の利用可能性】
【００４１】
本発明のインクリボン断裁装置及びインクリボン供給装置は、ロール状のインクリボンを連続で細片化させる断裁装置の製造、販売、使用等の産業に利用可能である。
【符号の説明】
【００４２】
１１            インクリボン断裁装置
１２            インクリボン供給装置
１３            断裁本体
１３Ａ          断裁領域
１４            リボン受入部
１５Ａ          電源スイッチ
１５Ｂ          操作スイッチ
１６            前面扉
１７            検知部
１８            検出部
２１            カッタローラ
２２            断裁片収納袋
２２Ａ          断裁片収納袋保持具
２３            駆動部
３２            第１搭載部
３３            第２搭載部
３１Ａ，３１Ｂ  側面部
３２Ａ，３２Ｂ  第１の対傾斜部
３３Ａ，３３Ｂ  第２の対傾斜部
３４            挿入誘導シャフト
４１            ロール保持部
４２Ａ，４２Ｂ  対取付傾斜部
４３Ａ，４３Ｂ  傾斜保持部
４４Ａ，４４Ｂ  支持部材
４５Ａ，４５Ｂ  取付部材
４６Ａ，４６Ｂ  保持回転部
４７            マグネット
６０            インクリボン
６０Ａ          重ねインクリボン
６０Ｂ          インクリボン断裁片
６１            インクリボンロール
６２            巻取芯
６２Ａ          中空部
６５            挿入ダミー
【図１】
2018008471.tif 000003
【図２】
2018008471.tif 000004
【図３】
2018008471.tif 000005
【図４】
2018008471.tif 000006
【図５】
2018008471.tif 000007
【図６】
2018008471.tif 000008
【図７】
2018008471.tif 000009
【図８】
2018008471.tif 000010
【図９】
2018008471.tif 000011